(57)【要約】【課題】ＣＲＵに内蔵する不揮発性メモリに対して、通電中にＣＲＵを着脱しようとした場合であっても、情報の書き込みを確実に行うことができる画像形成装置を提供する。【解決手段】本発明に係る画像形成装置は、不揮発性メモリを内蔵する交換可能ユニットと、前記交換可能ユニットを交換するときに開閉するカバーと、前記カバーの開閉を検出する検出部と、前記検出部にて前記カバーが開かれたことが検出されたときに、前記不揮発性メモリに対して所定のデータを書き込む制御部と、を備えたことを特徴とする。【選択図】  図１
2008009115.tif 000002
【特許請求の範囲】
【請求項１】
不揮発性メモリを内蔵する交換可能ユニットと、
前記交換可能ユニットを交換するときに開閉するカバーと、
前記カバーの開閉を検出する検出部と、
前記検出部にて前記カバーが開かれたことが検出されたときに、前記不揮発性メモリに対して所定のデータを書き込む制御部と、
を備えたことを特徴とする画像形成装置。
【請求項２】
第１の電源電圧を出力する第１の電源と、
前記第１の電源電圧を降圧して第２の電源電圧に変換し、前記不揮発性メモリに電源を供給する第２の電源と、
前記第１の電源電圧を検出する電圧検出部と、
をさらに備え、
前記制御部は、
前記電圧検出部で検出される前記第１の電源電圧が所定の閾値よりも低下したときにも、前記不揮発性メモリに対して所定のデータを書き込む、
ことを特徴とする請求項１に記載の画像形成装置。
【請求項３】
前記制御部は、
前記第１の電源がオフとなり、前記第１の電源の出力電圧が、前記所定の閾値の電圧から前記第２の電源電圧を生成可能な限界電圧にまで降下する電圧降下時間の間に、前記所定のデータを書き込む、
ことを特徴とする請求項２に記載の画像形成装置。
【請求項４】
前記第１の電源と前記第２の電源との間には時定数回路が設けられ、
前記電圧降下時間は、前記時定数回路の時定数の調整によって変更できる、
ことを特徴とする請求項３に記載の画像形成装置。
【請求項５】
前記制御部は、
前記電圧降下時間の間に前記所定のデータの書込みが終了しなかったときには、前記所定のデータと共に書き込みエラーフラグを前記不揮発性メモリに設定し、
前記不揮発性メモリを読み出したときに、前記書き込みエラーフラグが設定されていた場合、再度前記所定のデータを前記不揮発性メモリに書き込む、
ことを特徴とする請求項１又は２に記載の画像形成装置。
【請求項６】
前記交換可能ユニットは、トナーを収納するトナーカートリッジ及びプロセスユニットの少なくとも一方を含むユニットである、
ことを特徴とする請求項１に記載の画像形成装置。
【請求項７】
前記不揮発性メモリに書き込む前記所定のデータは、前記交換可能ユニットを識別するための識別情報、前記交換可能ユニットの使用時間に関する情報、及び前記交換可能ユニットに収納する消耗品の残量を示す情報、の少なくともいずれかを示すデータである、
ことを特徴とする請求項１に記載の画像形成装置。
【請求項８】
不揮発性メモリを内蔵する交換可能ユニットと、前記交換可能ユニットを交換するときに開閉するカバーとを具備する画像形成装置の制御方法において、
前記カバーの開閉を検出し、
前記検出部にて前記カバーが開かれたことが検出されたときに、前記不揮発性メモリに対して所定のデータを書き込む、
ことを特徴とする画像形成装置の制御方法。
【請求項９】
前記画像形成装置は、
第１の電源電圧を出力する第１の電源と、
前記第１の電源電圧から降圧して第２の電源電圧に変換し、前記不揮発性メモリに電源を供給する第２の電源と、をさらに備え、
前記第１の電源電圧を検出し、
前記電圧検出部で検出される前記第１の電源電圧が所定の閾値よりも低下したときにも、前記不揮発性メモリに対して所定のデータを書き込む、
ことを特徴とする請求項８に記載の画像形成装置の制御方法。
【請求項１０】
前記第１の電源がオフとなり、前記第１の電源の出力電圧が、前記所定の閾値の電圧から前記第２の電源電圧を生成可能な限界電圧にまで降下する電圧降下時間の間に、前記所定のデータを書き込む、
ことを特徴とする請求項９に記載の画像形成装置の制御方法。
【請求項１１】
前記電圧降下時間は、前記第１の電源と前記第２の電源との間に設けられる時定数回路の時定数の調整によって変更できる、
ことを特徴とする請求項１０に記載の画像形成装置の制御方法。
【請求項１２】
前記電圧降下時間の間に前記所定のデータの書込みが終了しなかったときには、前記所定のデータと共に書き込みエラーフラグを前記不揮発性メモリに設定し、
前記不揮発性メモリを読み出したときに、前記書き込みエラーフラグが設定されていた場合、再度前記所定のデータを前記不揮発性メモリに書き込む、
ことを特徴とする請求項８又は９に記載の画像形成装置の制御方法。
【請求項１３】
前記交換可能ユニットは、トナーを収納するトナーカートリッジ及びプロセスユニットの少なくとも一方を含むユニットである、
ことを特徴とする請求項８に記載の画像形成装置の制御方法。
【請求項１４】
前記不揮発性メモリに書き込む前記所定のデータは、前記交換可能ユニットを識別するための識別情報、前記交換可能ユニットの使用時間に関する情報、及び前記交換可能ユニットに収納する消耗品の残量を示す情報、の少なくともいずれかを示すデータである、
ことを特徴とする請求項８に記載の画像形成装置の制御方法。
【発明の詳細な説明】
【技術分野】
【０００１】
本発明は、画像形成装置、及びその制御方法に係り、特に、電子写真方式を用いる画像形成装置、及びその制御方法に関する。
【背景技術】
【０００２】
電子写真方式を用いた画像形成装置では、トナー等の消耗品が用いられている。トナーは、例えばトナーカートリッジのような着脱可能なユニットに収納されており、トナーが消耗した場合には、ユーザがトナーカートリッジを画像形成装置の本体から取り外し、トナーを補充し、或いはトナーカートリッジを新品のカートリッジに容易に交換することができるようになっている。
【０００３】
また、現像装置や感光体等の複数の電子写真プロセス装置を１つの筐体に内蔵してユニット化し（以下、プロセスユニットという）、画像形成装置の本体から取り外し、或いは引き出し可能に構成する形態も多い。プロセスユニットを本体から取り外し、或いは引き出し可能とすることで、内蔵されている電子写真プロセス装置の保守や交換が容易となり、ユーザやサービスマンの作業性が向上する。
【０００４】
一般に、これらの取り外し可能なユニットは、カスタマーリプレイサブルユニット（Customer  Replaceable  Unit：以下、ＣＲＵという）と呼ばれている。
【０００５】
近時、これらのＣＲＵにＥＥＰＲＯＭ等の不揮発性メモリを内蔵し、この不揮発性メモリに各種の情報を記憶させる形態が増えてきている（特許文献１等参照）。
【０００６】
例えば、トナーカートリッジの場合では、内蔵する不揮発性メモリにトナーの種別、トナー残量、あるいは使用時間等の保守に必要な情報を記憶させておき、トナーカートリッジの交換時期や交換すべき種別をユーザに容易に知らしめることが可能となる。また、保守情報を画像形成装置側ではなく、トナーカートリッジに記憶させることにより、例えば使用中のトナーカートリッジを他の機種に装着した場合でもトナー残量や使用時間等の保守情報を新たに装着した装置に対しても確実に通知可能となる。
【０００７】
また、内蔵する不揮発性メモリに、そのＣＲＵの識別情報を記憶させておくことにより、正規のＣＲＵと、動作に支障をきたすような模造品とを識別することが可能となる。
【特許文献１】特開２００５−１５１１７５号公報
【発明の開示】
【発明が解決しようとする課題】
【０００８】
通常、ＣＲＵに内蔵される不揮発性メモリに対しては、画像形成装置の本体側から電源が供給され、また、情報の書き込みや読み出しは画像形成装置の本体側から制御される。
【０００９】
不揮発性メモリに記憶させる情報は、上記のように保守情報や識別情報等であり、情報の書き込みや読み出しの頻度は、一般的にそれ程高いものではない。
【００１０】
このため、従来は、不揮発性メモリに対する書き込みや読み出しは、特にＣＲＵの状態を認識することなく画像形成装置の本体側が任意のタイミングで行う形態が多かった。例えば、不揮発性メモリに対して、予め定めた一定の時間間隔で書き込みや読み出しを行うといった方法である。
【００１１】
他方、ユーザがＣＲＵを取り外す場合には、画像形成装置側の書き込みや読み出しのタイミングは通常知りえない。このため、例えば、待機状態等において画像形成装置が不揮発性メモリにアクセスしている最中に、ユーザがＣＲＵを取り外してしまう場合も起こりうる。このような事態がおこると、書き込むべき情報が正常に不揮発性メモリに書き込まれなくなり、或いは誤った情報が不揮発性メモリに書き込まれることになる。
【００１２】
本発明は、上記事情に鑑みてなされたもので、ＣＲＵに内蔵する不揮発性メモリに対して、通電中にＣＲＵを着脱しようとした場合であっても、情報の書き込みを確実に行うことができる画像形成装置、およびその制御方法を提供することを目的とする。
【課題を解決するための手段】
【００１３】
上記課題を解決するため、本発明に係る画像形成装置は、請求項１に記載したように、不揮発性メモリを内蔵する交換可能ユニットと、前記交換可能ユニットを交換するときに開閉するカバーと、前記カバーの開閉を検出する検出部と、前記検出部にて前記カバーが開かれたことが検出されたときに、前記不揮発性メモリに対して所定のデータを書き込む制御部と、を備えたことを特徴とする。
【００１４】
また、上記課題を解決するため、本発明に係る画像形成装置の制御方法は、請求項８に記載したように、不揮発性メモリを内蔵する交換可能ユニットと、前記交換可能ユニットを交換するときに開閉するカバーとを具備する画像形成装置の制御方法において、前記カバーの開閉を検出し、前記検出部にて前記カバーが開かれたことが検出されたときに、前記不揮発性メモリに対して所定のデータを書き込む、ことを特徴とする。
【発明の効果】
【００１５】
本発明に係る画像形成装置、およびその制御方法によれば、ＣＲＵに内蔵する不揮発性メモリに対して、通電中にＣＲＵを着脱しようとした場合であっても、情報の読み出し、書き込みを確実に行うことができる。
【発明を実施するための最良の形態】
【００１６】
本発明の一実施形態に係る画像形成装置１、およびその制御方法について、添付図面を参照して説明する。
【００１７】
（１）構成
図１は、画像形成装置１の構成例を示す図である。図１に示した構成例は、本発明に特に関係する構成を取り出して図示したものである。画像形成装置１は、例えば、原稿を読み取るスキャナ部、各種画像処理を行う画像処理部、記録紙を内部に搬送する給紙部、印刷された記録紙を外部に搬送する排紙部等を有するが、これらについては図示を省略している。
【００１８】
画像形成装置１は、ユーザやサービスマンが交換可能なユニット（ＣＲＵ）として、例えばプロセスユニット２や、トナーカートリッジ３等を有している。
【００１９】
プロセスユニット２は、感光ドラム２１をその中心に具備しており、感光ドラム２１の周囲に、帯電装置２２、露光装置２３、現像装置２４、クリーナ２５等が配設されている。
【００２０】
帯電装置２２によって感光ドラム２１の表面が所定の電位に帯電された後、露光装置２３から照射されるレーザ光等の光によって感光ドラム２１に静電潜像が形成される。この静電潜像は、現像装置２４が内蔵するトナーによって現像され、感光体ドラム２１の表面にトナー画像が形成される。トナー画像は、転写ローラ１１によって記録紙１２に転写され、図示しない定着装置によって記録紙１２に定着される。
【００２１】
プロセスユニット２は、保守性等の観点からユニット化されており、例えば、画像形成装置１の前面に設けられているカバー２ａを開けて交換可能に構成されている。また、カバー２ａには、カバー２ａの開閉状態を検出するカバー開閉検出スイッチ２ｂが設けられている。
【００２２】
プロセスユニット２は、例えば、EEPROM（Electronically  Erasable  and  Programmable  Read  Only  Memory）等の不揮発性メモリ２６を内蔵している。
【００２３】
不揮発性メモリ２６には、プロセスユニット２を識別するための識別情報として、例えば、製品型名、製造番号、製造メーカ等が記録されている。また、プロセスユニット２に使用時間等に関する情報として、使用時間、通紙枚数、時刻情報等が記録されている。
【００２４】
一方、トナーカートリッジ３はトナーを内蔵するユニットであり、トナーカートリッジ３１も交換可能なユニット（ＣＲＵ)として構成されている。トナーカートリッジ３も不揮発性メモリ３１を内蔵しており、識別情報として、例えばトナーの種類や製造メーカ等が記録される他、使用時間に関する情報として、例えば、使用開始時期等が記録される他、トナー残量等の情報が記録されている。
【００２５】
トナーカートリッジ３もプロセスユニット２と同様に、画像形成装置１の前面や側面に設けられているカバー３ａを開いて交換する形態であり、カバー３ａにはカバー開閉検出スイッチ３ｂが設けられている。
【００２６】
ＣＲＵとしては、上記のプロセスユニット２やトナーカートリッジ３に限定されるものではなく、保守・交換に必要性に応じて、例えば定着装置等の適宜の構成品をＣＲＵの形態とすることができる。
【００２７】
不揮発性メモリ２６、３１に記録されているデータは、制御部１０によって読み出され参照される。識別情報を参照することで、適正なユニットが装着されているか否かの判定が可能であり、不適正なユニットが装着された場合には、図示しない操作パネル等に表示することで、ユーザの注意を喚起する。また、不適正なユニットの装着によって誤動作や故障の可能性がある場合には、画像形成装置１の動作を停止する場合もありうる。
【００２８】
また、使用時間に関する情報は、適宜更新する必要があるため、制御部１０からこれらの情報に関するデータが不揮発性メモリ２６、３１に書き込まれる。
【００２９】
書き込まれた使用時間に関するデータは、制御部１０で読み出して参照され、使用時間によって特性が変化するような場合には特性の補正等に用いられる。また、使用時間が所定の使用可能期限を過ぎた場合には、ユーザに対して交換等を促すような表示を行う。
【００３０】
不揮発性メモリ２６、３１には、例えば「５Ｖ電源」（第２の電源）７から、約５Ｖの電圧（第２の電源電圧）が供給される。
【００３１】
「５Ｖ電源」７は、「２４Ｖ電源」（第１の電源）５から約２４Ｖの電圧（第１の電源電圧）を受け、これを降圧して約５Ｖの直流電圧を生成している。
【００３２】
「２４Ｖ電源」５と「５Ｖ電源」７との間には、時定数回路６が設けられている。時定数回路６は、例えば電解コンデンサと抵抗器を具備して構成され、「２４Ｖ電源」５の出力がオフとなっても、「５Ｖ電源」７の入力端を瞬時には低下させず、所定の時定数で定まる時間をかけてゆっくりと低下させるものである。
【００３３】
「５Ｖ電源」７は、その入力電圧が出力電圧である５Ｖよりもやや高い電圧、例えば約７Ｖ（限界電圧）程度以上あれば、５Ｖの電圧を生成することが可能である。
【００３４】
画像形成装置１の電源を切った場合や、画像形成装置１を所定時間動作させずその結果、画像形成装置１が節電モード（スリープモード）に移行した場合には、「２４Ｖ電源」５の入力側のスイッチ４がオフとなり、「２４Ｖ電源」５の出力はほぼ瞬時にゼロとなる。しかしながら、「５Ｖ電源」７の入力では、時定数回路６によって２４Ｖから徐徐に電圧が降下する。この結果、「２４Ｖ電源」５がオフとなってから「５Ｖ電源」７の入力電圧が限界電圧である約７Ｖに降下するまでの間の時間（電圧降下時間）は、５Ｖの電圧が「５Ｖ電源」７から不揮発性メモリ２６、３１に対して供給され、不揮発性メモリ２６を正常に動作させることが可能である。
【００３５】
「２４Ｖ電源」５の出力端の電圧は、電圧検出部８において、所定の閾値、例えば約２２Ｖと比較判定され、その結果が制御部１０へ入力される。この判定は、「２４Ｖ電源」５がオフとなったタイミングを検出するためのものである。
【００３６】
また、「５Ｖ電源」７の入力端（時定数回路６の出力端）の電圧も、電圧検出部９において、所定の閾値、例えば約７Ｖと比較判定される。この判定は、「５Ｖ電源」７の入力電圧が２４Ｖから降下していったときに、「５Ｖ電源」７の出力が正常に５Ｖの電圧を出力し得る限界のタイミングを検出するものである。
【００３７】
電圧検出部８，９の判定結果は制御部１０へ入力される。これらの電圧判定結果は、カバー開閉検出スイッチ２ｂ、３ｂと共に、不揮発性メモリ２６、３１の書込みタイミングの制御に用いられる。
【００３８】
（２）動作
上記のように構成された画像形成装置１の動作について、特に、不揮発性メモリ２６、３１の読み出し、書き込み制御の動作について、以下に説明する。
【００３９】
なお、プロセスユニット２の不揮発性メモリ２６に対する動作も、トナーカートリッジ３の不揮発性メモリ３１に対する動作も本質的な違いはないため、以下ではプロセスユニット２の不揮発性メモリ２６に対する動作を説明する。
【００４０】
図２は、制御部１０が行う不揮発性メモリ２６の読み出し、書き込み制御の処理例を示すフローチャートである。
【００４１】
まず、ステップＳＴ１でＣＲＵの不揮発性メモリ２６の記録データを読み込む。本実施形態では、読み込みタイミングについては特に規定するものではなく、例えば電源起動時等に不揮発性メモリ２６にアクセスして記録データが読み込まれる。電源起動後、適宜の一定周期で読み出す形態でも良い。
【００４２】
ステップＳＴ２では、読み込んだデータに「書き込みエラーフラグ」が設定されているか否かを判定する。「書き込みエラーフラグ」は、制御部１０から不揮発性メモリ２６にデータを書き込んだときに、実際にエラーが発生したか、或いはエラーが発生した可能性が高いと判断されるときに、制御部１０から不揮発性メモリ２６に対して設定されるフラグである。
【００４３】
「読み込みエラーフラグ」が設定されていない場合にはステップＳＴ３に進み、読み込んだＣＲＵのデータを参照し、画像形成装置１の本体側（制御部１０）のデータを更新する。
【００４４】
一方、「読み込みエラーフラグ」が設定されている場合には、記録されているデータ（前回書き込んだデータ）の信用性が低いと判断されるため、制御部１０から再度ＣＲＵの不揮発性メモリ２６に対して書き込みを行い（ステップＳＴ４）、ステップＳＴ５へ進む。
【００４５】
ステップＳＴ５では、読み込んだデータを基に、ＣＲＵが使用可能か否かを判定する。例えば、読み込んだＣＲＵの識別情報から、そのＣＲＵが適正なユニットでない場合には使用不可と判定する。また、読み込んだ使用時間に関する情報から、そのＣＲＵが使用可能期限を過ぎているような場合にも使用不可と判定する。
【００４６】
使用不可と判定された場合には、ステップＳＴ６にて、「使用不可フラグ」をＣＲＵの不揮発性メモリ２６に書き込んで処理を終了する。このとき、ユーザに対して使用不可である旨の表示をしてＣＲＵの交換等を促す形態としても良い。
【００４７】
ＣＲＵが使用可能と判断されると、画像形成装置１は通常の動作を開始、或いは継続する。
【００４８】
画像形成装置１が動作中は、制御部１０は、カバー２ａの開閉状態と「２４Ｖ電源」５の動作状態を常にモニタする。
【００４９】
カバー２ａの開閉状態は、カバー２ａに設けられているカバー開閉検出スイッチ２ｂによって検出され、制御部１０に通知される。カバー２ａが開かれると、その時点で制御部１０は、ＣＲＵの不揮発性メモリ２６に対して書き込みを開始し、所定のデータの書き込みが終了した時点で書き込み動作を終了する。図３は、この動作を示す図である。
【００５０】
従来、制御部１０から不揮発性メモリ２６へのデータの書き込み動作は、ＣＲＵ側の状態を考慮することなく行われていた。例えば、制御部１０は、一定の周期で不揮発性メモリ２６に対して書き込みを行っていた。このため、書き込み期間中に、ユーザがＣＲＵを交換のために抜き取った場合には、書き込み途中のデータが破壊されてしまうという問題があった。
【００５１】
本実施形態では、不揮発性メモリ２６に対する書き込みタイミングを特定の場合に限定することで上記のような問題の発生を防止している。書き込みタイミングの限定の１つが、上記のカバー２ａを開いた場合である（ステップＳＴ７、およびステップＳＴ９）。
【００５２】
ＣＲＵを交換するときには、ユーザは必ずカバー２ａを開ける。書き込みデータの量はそれ程多いものではなく、全データの書き込みに要する時間は、例えば、最大でも約７００ｍｓ以下である。従って、ユーザがカバー２ａを開けてからＣＲＵにアクセスするまでには、不揮発性メモリ２６に対するデータの書き込みは確実に終了しており、データ書き込み期間中にＣＲＵが抜き取られる可能性は排除される。
【００５３】
書き込みタイミングの他の限定は、「２４Ｖ電源」５がオフとなった場合である。具体的には、「２４Ｖ電源」５がオフとなった後、前述した電圧降下時間の間に限定して不揮発性メモリ２６にデータを書き込む形態とする（ステップＳＴ８、ステップＳＴ９）。
【００５４】
このような形態であれば、画像形成装置１の電源を切るたびに不揮発性メモリ２６に対して最新のデータが書き込まれることになるため、旧いデータがＣＲＵに残り続ける懸念も無くなる。
【００５５】
また、画像形成装置１の主電源を切ることなく、常時通電状態で使用する形態も考えられるが、今日の画像形成装置１は通常「節電モード」を有している。「節電モード」は、一定時間画像形成装置１を操作しない場合は、ごく一部の電源を除いて主要な電源系をオフとするモードである。従って、「節電モード」では、「２４Ｖ電源」５もオフとなる。このため、常時通電状態で使用する形態であっても、「節電モード」への移行時には、ＣＲＵの不揮発性メモリ２６に対して最新のデータの書き込みが行われることになる。
【００５６】
電圧降下時間は、時定数回路６の電界コンデンサの容量を変えることで変更可能であり、不揮発性メモリ２６への書き込みデータ量や書き込み速度等を考慮して、適宜のマージンを持って設定される。
【００５７】
図４は、電圧降下時間内に不揮発性メモリ２６にデータを書き込む状況を例示した図である。電圧検出部８にて、「２４Ｖ電源」５のオフが検出されると、制御部１０は不揮発性メモリ２６に対してデータの書き込みを開始し、「５Ｖ電源」７の出力電圧が低下する前（時定数回路６の出力電圧が限界電圧である約７Ｖに達する前）にデータの書き込みを終了する。
【００５８】
ステップＳＴ１０乃至ステップＳＴ１２は、万一何らかの原因で、設定した電圧降下時間内にデータの書き込みが終了しなかった場合の処理を示すものである。
【００５９】
制御部１０では、データの書き込み中も時定数回路６の出力電圧をモニタし、書き込み終了前に時定数回路６の出力電圧が約７Ｖを下回った場合には、データの書き込みに何らかのエラーが発生する可能性が高いと判断し、不揮発性メモリ２６に対して「書き込みエラーフラグ」を設定するものとしている。
【００６０】
この「書き込みエラーフラグ」は、データの読み込み時にステップＳＴ２で参照されるものである。
【００６１】
以上説明したように、本実施形態に係る画像形成装置１、およびその制御方法によれば、ＣＲＵに内蔵する不揮発性メモリ２６に対して、通電中にＣＲＵを着脱しようとした場合であっても、情報の書き込みを確実に行うことができる。また、画像形成装置１の電源オフ時や「節電モード」移行時にデータを書き込むことで、常に最新のデータを用いて不揮発性メモリ２６の内容を更新することもできる。
【００６２】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６３】
【図１】本発明の一実施形態に係る画像形成装置の構成例を示す図。
【図２】本発明の一実施形態に係る画像形成装置の制御方法のうち、特に、ＣＲＵが内蔵する不揮発性メモリに対する読み出し、書き込み制御方法の一例を示すフローチャート。
【図３】ＣＲＵの交換のためのカバーを開くタイミングと、不揮発性メモリに対するデータ書き込みタイミングの関係を模式的に示す図。
【図４】「２４Ｖ電源」の電圧降下時間と不揮発性メモリに対するデータ書き込みタイミングの関係を模式的に示す図。
【符号の説明】
【００６４】
１  画像形成装置
２  ＣＲＵ（プロセスユニット）
２ａ  カバー
２ｂ  カバー開閉検出スイッチ
３  ＣＲＵ（トナーカートリッジ）
３ａ  カバー
３ｂ  カバー開閉検出スイッチ
５  「２４Ｖ電源」（第１の電源）
６  時定数回路
７  「５Ｖ電源」（第２の電源）
８  電圧検出部
９  電圧検出部
１０  制御部
【図１】
2008009115.tif 000003
【図２】
2008009115.tif 000004
【図３】
2008009115.tif 000005
【図４】
2008009115.tif 000006